(57)【要約】【課題】  弾丸発射時にライフル銃本体に生ずる反動が、先台を支える前側の手に伝わりにくい構造のライフル銃を提供する。【解決手段】  ライフル銃において、ライフル銃を構える際に引金２１を引かない方の手（前側の手）で支える部分である先台スライド部４２（先台４０）を、ライフル銃本体（銃身１０等）に対して前後方向（矢印Ａを参照。）にスライド可能な構造とし、弾丸が前方へ発射された際に、先台スライド部４２（先台４０）がライフル銃本体に対して前後方向にスライドすることにより、ライフル銃本体に生ずる反動が、前側の手に伝わりにくくした。【選択図】  図１
2019020000.tif 000002
【特許請求の範囲】
【請求項１】
ライフル銃であって、
ライフル銃を構える際に引金を引かない方の手（以下「前側の手」と云う。）で支える部分である先台が、ライフル銃本体に対して前後方向にスライド可能な構造とされ、
弾丸が前方へ発射された際に、先台がライフル銃本体に対して前後方向にスライドすることにより、ライフル銃本体に生ずる反動が、前側の手に伝わりにくくした
ことを特徴とするライフル銃。
【請求項２】
先台が、
ライフル銃本体に対して動かない先台不動部と、
先台不動部に対して前後方向にスライド可能な状態で先台不動部の外周部に取り付けられる先台スライド部と、
で構成され、
先台不動部の外周面及び先台スライド部の内周面のうち、
一方に、前後方向に延びる案内凹部が設けられ、
他方に、前記案内凹部に嵌合する案内凸部が設けられた
請求項１記載のライフル銃。
【請求項３】
先台不動部の外周面と先台スライド部の内周面との間に隙間が設けられ、
先台不動部と先台スライド部とが、案内凹部及び案内凸部が設けられた部分以外では互いに接触しない構造とされた
請求項２記載のライフル銃。
【請求項４】
案内凸部が、前後方向に並んで配された複数のボール体によって構成された
請求項２又は３記載のライフル銃。
【請求項５】
先台スライド部から前側の手が外れないように前側の手を受け止めるためのハンドストップが、先台スライド部に設けられた
請求項２〜４いずれか記載のライフル銃。
【請求項６】
先台スライド部のスライド可能範囲を示すための目印が、先台不動部に設けられた
請求項２〜５いずれか記載のライフル銃。
【請求項７】
ライフル銃を構える際に肩を当てる銃床が、ライフル銃本体に対して前後方向にスライド可能な構造とされ、
弾丸が前方へ発射された際に、銃床がライフル銃本体に対して前後方向にスライドすることにより、ライフル銃本体に生ずる反動が肩に伝わりにくくした
請求項１〜６いずれか記載のライフル銃。
【請求項８】
銃床が、
ライフル銃本体に対して動かない銃床不動部と、
銃床不動部に対して前後方向にスライド可能な状態で銃床不動部の後側に取り付けられた銃床スライド部と、
で構成され、
銃床スライド部をライフル銃本体に対して後方に付勢するための銃床付勢部材が、銃床不動部と銃床スライド部との間に介在された
請求項７記載のライフル銃。
【発明の詳細な説明】
【技術分野】
【０００１】
本発明は、ライフル銃に関する。
【背景技術】
【０００２】
一般的なライフル銃は、主に、銃身（バレル）と機関部（レシーバー）と銃床（バックストック）と呼ばれる部分で構成されている。銃身は、発射された弾丸（バレット）を通過させる銃腔（ボア）を内部に有する管状の部材である。また、機関部は、引金（トリガー）や撃鉄（ハンマー）や逆鉤（シア）や遊底（ボルト）や薬室（チャンバー）等が集約された、ライフル銃の心臓部とも言える部分である。さらに、銃床は、ライフル銃を構えた人（射手）が、引金を引く方の手（以下「後側の手」と云う。）の付根付近（肩）に当てるための部分である。
【０００３】
ところが、従来のライフル銃は、弾丸発射時の反動が射手の身体にそのまま伝わりやすい構造となっていた。このため、従来のライフル銃は、弾丸発射直後（特に、弾丸が銃身の銃腔を通過しているとき）の銃身の向きを安定させにくく、命中精度が低下しやすいという問題を有していた。このような実状に鑑みてか、これまでには、弾丸発射時にライフル銃から射手の身体に伝わる反動を抑えることができるようにしたライフル銃が提案されている。
【０００４】
例えば、特許文献１の第２図には、ライフル銃本体に対して動かない状態に設けられた銃床不動部（銃床３）の後側に、前後方向にスライド可能な銃床スライド部（床尾板４）を設け、銃床不動部と銃床スライド部との間に、銃床スライド部を後方に付勢する銃床付勢部材（衝撃緩衝器２）を介在させた構造のライフル銃が記載されている。このライフル銃は、弾丸発射時にライフル銃本体に生じる衝撃を銃床付勢部材によって吸収することにより、銃床スライド部を通じて射手の肩に伝わる衝撃を和らげるものとなっている。特許文献２〜４にも、特許文献１のライフル銃と同様の構造を有するライフル銃が記載されている。
【先行技術文献】
【特許文献】
【０００５】
【特許文献１】実開平０２−１４０１９３号公報
【特許文献２】特開２００６−１３８６２６号公報
【特許文献３】特開２００６−２１４７１３号公報
【特許文献４】特開２０１４−０６６５０９号公報
【発明の概要】
【発明が解決しようとする課題】
【０００６】
しかし、特許文献１〜４のライフル銃でもなお、命中精度の低下を抑えることは容易ではなかった。というのも、ライフル銃で射撃を行う際には、通常、銃身の後部区間に設けられた先台（フォアグリップ）と呼ばれる部分を、利き手でない方の手で支え、利き手側の肩の前面に銃床を当てた状態で、利き手で引金を引くようになる。この点、特許文献１〜４のライフル銃はいずれも、先台を支える手（前側の手）に弾丸発射時の反動がそのまま伝わる構造となっていたからである。
【０００７】
すなわち、特許文献１〜４のライフル銃で射撃を行うと、弾丸発射直後に、前側の手が肘を支点として動くことに加えて、その肘自体も動くため、弾丸発射直後の銃身にブレが生じやすく、命中精度が低下しやすい。弾丸発射時の反動が前側の手に伝わりにくい構造のライフル銃があればよいのであるが、そのようなライフル銃は、これまでに見当たらなかった。
【０００８】
本発明は、上記課題を解決するために為されたものであり、弾丸発射時にライフル銃本体に生ずる反動が、先台を支える前側の手に伝わりにくい構造のライフル銃を提供することを目的とする。特に、弾丸発射直後における銃身のブレを抑えて命中精度の低下を抑えることが可能なライフル銃を提供することを目的としている。
【課題を解決するための手段】
【０００９】
以下、上記課題を解決するための手段について説明する。以下においては、説明の便宜上、ライフル銃から発射された弾丸の進行方向と平行な方向を「前後方向」とし、発射された弾丸が飛んでいく側を「前側」とし、ライフル銃から発射された弾丸が飛んでいくのとは反対側を「後側」として説明する。
【００１０】
上記課題は、
ライフル銃であって、
ライフル銃を構える際に引金を引かない方の手（以下「前側の手」と云う。）で支える部分である先台が、ライフル銃本体（銃身及び銃身に対して動かない（銃身と一体的に動く）部分。以下同じ。）に対して前後方向にスライド可能な構造とされ、
弾丸が前方へ発射された際に、先台がライフル銃本体に対して前後方向にスライドすることにより、ライフル銃本体に生ずる反動が、前側の手に伝わりにくくした
ことを特徴とするライフル銃
を提供することによって解決される。
【００１１】
弾丸発射時のライフル銃本体は、そのときの反動で後側に移動しようとするところ、上記のように、前側の手で支える先台をライフル銃本体に対して前後方向にスライド可能な構造とすることによって、弾丸発射時の反動による衝撃が前側の手に伝わらないようにすることができる。このため、弾丸発射直後における銃身のブレを抑えて、ライフル銃の命中精度の低下を抑えることも可能になる。
【００１２】
本発明のライフル銃においては、先台における、少なくとも前側の手に接触する部分がライフル銃本体に対して前後方向にスライド可能となるのであれば、ライフル銃本体に対する先台の取り付け構造は、特に限定されない。
【００１３】
しかし、
先台を、
ライフル銃本体に対して動かない先台不動部と、
先台不動部に対して前後方向にスライド可能な状態で先台不動部の外周部に取り付けられる先台スライド部と、
で構成し、
先台不動部の外周面及び先台スライド部の内周面のうち、
一方に、前後方向に延びる案内凹部を設け、
他方に、前記案内凹部に嵌合する案内凸部を設ける
ことが好ましい。
【００１４】
このように、案内凹部と案内凸部とを嵌合させる構造を採用することにより、先台不動部（ライフル銃本体）に対する先台スライド部のスライド方向を規制することが可能になる。言い換えると、先台スライド部に、弾丸発射時の反動で後側に移動するライフル銃本体の移動方向が前後方向に対して大きく傾斜しないように案内するガイドとしての機能を発揮させることも可能になる。したがって、弾丸発射直後の銃身のブレをより確実に防止することが可能になる。
【００１５】
上記のように、先台不動部と先台スライド部とに、案内凸部と案内凹部とを設ける場合には、
先台不動部の外周面と先台スライド部の内周面との間に隙間を設け、
先台不動部と先台スライド部とが、案内凹部及び案内凸部が設けられた部分以外では互いに接触しない構造とする
ことが好ましい。
【００１６】
これにより、先台不動部と先台スライド部との接触面積を減らして、先台不動部と先台スライド部との間に生じる摩擦を小さく抑え、先台スライド部が先台不動部に対して滑らかに動くようにすることが可能になる。したがって、弾丸発射時の反動による衝撃が前側の手にさらに伝わりにくくすることが可能になる。
【００１７】
また、上記のように、先台不動部と先台スライド部とに、案内凸部と案内凹部とを設ける場合には、
案内凸部を、前後方向に並んで配された複数のボール体によって構成する
ことも好ましい。
【００１８】
これによっても、先台不動部と先台スライド部との間に生じる摩擦を小さく抑え、先台スライド部が先台不動部に対して滑らかに動くようにすることが可能になる。したがって、弾丸発射時の反動による衝撃が前側の手にさらに伝わりにくくすることが可能になる。
【００１９】
本発明のライフル銃において、上記のように、先台を先台不動部と先台スライド部とで構成する場合には、
先台スライド部から前側の手が外れないように前側の手を受け止めるためのハンドストップを、先台スライド部に設ける
ことも好ましい。
【００２０】
というのも、前側の手で先台スライド部を正しい位置で支えずに、前側の手が先台スライド部から外れて先台不動部に当たってしまっている状態で射撃を行った場合には、弾丸発射時の反動による衝撃が前側の手に伝わるようになる。この点、上記のハンドストップを先台スライド部に設けることによって、ライフル銃を構える際に前側の手で先台スライド部を正しい位置で支えやすくなることに加えて、その前側の手が先台スライド部から外れないようにすることも可能になるからである。
【００２１】
本発明のライフル銃において、上記のように、先台を先台不動部と先台スライド部とで構成する場合には、
先台スライド部のスライド可能範囲を示すための目印を、先台不動部に設ける
ことも好ましい。
【００２２】
というのも、ライフル銃を構えた際の先台スライド部が前側の限界位置（先台スライド部を先台不動部に対してそれ以上前方にスライドさせることができない位置）になっていると、弾丸発射直後の先台スライド部が、弾丸発射時の反動によって後側に移動する先台不動部（ライフル銃本体）につられて後側に移動するようになる。このため、弾丸発射時の反動による衝撃が前側の手に伝わる虞がある。この点、上記のように、先台スライド部のスライド可能範囲を示すための目印を設けておくと、ライフル銃を構えたときの先台スライド部が前側の限界位置になっていないかを射手が容易に確認することが可能になり、上記の不具合を防止することができるからである。
【００２３】
本発明のライフル銃において、ライフル銃を構える際に射手の肩に当てる銃床は、その全体が銃身に対して動かないもの（ライフル銃本体）であってもよいが、
銃床を、ライフル銃本体に対して前後方向にスライド可能な構造とし、
弾丸が前方へ発射された際に、銃床がライフル銃本体に対して前後方向にスライドすることにより、ライフル銃本体に生ずる反動が肩に伝わりにくくする
ことが好ましい。
【００２４】
これにより、弾丸発射時の反動による衝撃が肩に伝わりにくくするだけでなく、弾丸発射直後の銃身のブレをより小さく抑えることも可能になる。すなわち、ライフル銃本体の前側部分を先台で前後方向に案内するだけでなく、ライフル銃本体の後側部分を銃床で前後方向に案内するといったように、ライフル銃本体を前後２箇所で前後方向に案内することができるようになるため、弾丸発射直後の銃身の向きを安定しやすくすることが可能になる。
【００２５】
本発明のライフル銃において、銃床をライフル銃本体に対して前後方向にスライド可能な構造とする場合には、
銃床を、
ライフル銃本体に対して動かない銃床不動部と、
銃床不動部に対して前後方向にスライド可能な状態で銃床不動部の後側に取り付けられた銃床スライド部と、
で構成し、
銃床スライド部をライフル銃本体に対して後方に付勢するための銃床付勢部材を、銃床不動部と銃床スライド部との間に介在させる
ことが好ましい。
【００２６】
これにより、銃床をライフル銃本体に対して前後方向にスライドさせる動作を、比較的簡素な構造で実現するだけでなく、射手の肩に伝わる衝撃を、銃床付勢部材によって吸収してより小さく抑えることも可能になる。
【発明の効果】
【００２７】
以上のように、本発明によって、弾丸発射時にライフル銃本体に生ずる反動が、先台を支える前側の手に伝わりにくい構造のライフル銃を提供することが可能になる。したがって、弾丸発射直後における銃身のブレを抑えて命中精度の低下を抑えることが可能なライフル銃を提供することも可能になる。
【図面の簡単な説明】
【００２８】
【図１】本発明のライフル銃を側方から見た状態を示した図である。
【図２】本発明のライフル銃を図１におけるＹ１−Ｙ１面で切断した状態を示した断面図である。
【図３】本発明のライフル銃における他の実施態様を図１におけるＹ１−Ｙ１面で切断した状態を示した断面図である。
【発明を実施するための形態】
【００２９】
本発明のライフル銃の好適な実施態様について、図面を用いてより具体的に説明する。図１は、本発明のライフル銃を側方から見た状態を示した図である。図１は、ライフル銃における銃床３０の一部を破断した状態で描いている。図２は、本発明のライフル銃を図１におけるＹ１−Ｙ１面で切断した状態を示した断面図である。
【００３０】
本実施態様のライフル銃は、図１に示すように、銃身（バレル）１０と、機関部（レシーバー）２０と、銃床（ストック）３０と、先台４０（フォアグリップ）とを備えたものとなっている。
【００３１】
［銃身］
銃身１０は、図２に示すように、その内部に銃腔１１（ボア）を有する管状の部材となっている。銃腔１１は、銃身１０の後側（機関部２０の前側）に設けられた図示省略の薬室（チャンバー）から発射された弾丸を通過させるための部分となっている。発射された弾丸を回転させてその直進性を高めるため、銃身１０の内周面には、旋条（ライフリング）と呼ばれる螺旋状の突起（図示省略）が設けられることが多い。
【００３２】
［機関部］  
機関部２０は、図１に示すように、引金２１（トリガー）や用心金２２（トリガーガード）や銃把２３（グリップ）を備えるとともに、その内部に、図示省略の撃鉄（ハンマー）や逆鉤（シア）や遊底（ボルト）や撃針（ファイアリングピン）や薬室（チャンバー）等が集約された、ライフル銃の心臓部とも言える部分である。
【００３３】
この機関部２０は、後側の手で銃把２３を握って引金２１を引くと、逆鉤に係止されていた撃鉄が逆鉤から外れて遊底内を前進し、薬室内に収められていた弾（カートリッジ）の後端部に設けられた雷管（プライマー）が撃鉄の前端部で打撃される構造となっている。弾は、その雷管におけるカップと呼ばれる部分が撃針で打撃されると、そのカップが前方に凹むように変形し、カップの前面側に塗布された起爆薬が、カップと発火金（アンビル）とで押圧されて発火し、薬莢（ケース）内の火薬（パウダー）が爆発する。この爆発により、薬莢内の圧力が増大し、薬莢の前端部に保持されていた弾丸が発射される。
【００３４】
［銃床］
銃床３０は、ライフル銃を安定して構えることができるように、ライフル銃を構える際に射手が肩（通常、引金２１を引く後側の手の付根）に当てるための部分となっている。本実施態様のライフル銃においては、図１に示すように、銃床３０を、機関部２０の後側に設けているが、銃床３０は、機関部２０よりも前側まで延在させてもよい。銃床３０を機関部２０よりも延在させる場合において、銃床３０における機関部２０よりも前側に位置する部分は、前床（フォアエンド）と呼ばれる。
【００３５】
銃床３０は、その全体が銃身１０に対して相対的に動かないものであってもよい。しかし、本実施態様のライフル銃において、銃床３０における前側部分は、銃身１０に対して相対的に動かない銃床不動部３１となっているものの、銃床３０における後側部分は、銃床不動部３１に対して相対的に前後方向（ｙ軸方向）にスライド可能（図１の矢印Ｂを参照。）な銃床スライド部３２となっている。このため、銃床３０の後側部分（銃床スライド部３２）が、銃身１０に対して相対的に前後方向にスライド可能な構造となっている。
【００３６】
銃床スライド部３２は、射手の肩に当てるための肩当て部３２ａと、肩当て部３２から前方に突出して設けられたガイドロッド３２ｂとで構成されている。ガイドロッド３２ｂは、銃床不動部３１の後部に設けられたガイド穴３１ａに対して、前後方向にスライド可能な状態で挿入されている。ガイド穴３１ａの内部には、銃床スライド部３２を銃床不動部３１に対して後方に付勢するための銃床付勢部材５０が収容されている。
【００３７】
このため、ライフル銃を構えたときには、銃床スライド部３２が後方の限界位置まで移動した状態となっているものの、弾丸発射時の反動で銃床不動部３１が銃身１０とともに後側に移動すると、銃床スライド部３２が銃床不動部３１に対して前方に移動する（ガイドロッド３２ａがガイド穴３１ａにおける深い位置まで移動する）ようになっている。
【００３８】
銃床３０を、上記のような構造としたことによって、弾丸発射時の反動を銃床付勢部材５０で吸収し、その反動による衝撃が射手の肩に伝わらないようにすることが可能となっている。また、弾丸発射時の反動で銃身１０とともに後方に移動する銃床不動部３１の移動方向を、銃床スライド部３２のガイドロッド３２ｂで前後方向に規制することにより、弾丸発射直後の銃身１０のブレを抑えることも可能となっている。
【００３９】
銃床不動部３１は、機関部２０と別体で構成してもよいが、本実施態様のライフル銃における銃床不動部３１は、機関部２０に連続する形で機関部２０と一体的に設けている。銃床付勢部材５０は、上述した機能を発揮できるものであれば特に限定されないが、通常、コイルバネ等の弾性部材が用いられる。
【００４０】
［先台］
先台４０は、ライフル銃を構える際に引金２１を引かない方の手（前側の手）で支える部分となっている。この先台４０は、後述するように、ライフル銃本体（銃身１０等）に対して相対的に前後方向（ｙ軸方向）にスライド（図１の矢印Ａを参照。）することが可能な構造となっている。
【００４１】
このため、本発明のライフル銃では、弾丸発射時にライフル銃本体（銃身１０等）に生ずる反動が、射手の前側の手に伝わりにくくなっている。加えて、本発明のライフル銃では、弾丸発射時の反動で後方に移動する銃身１０の移動方向を、先台４０で前後方向に規制し、弾丸発射直後の銃身１０のブレを抑えることも可能となっている。銃身１０のブレを抑えることに関しては、本実施採用のライフル銃においては、以下の相乗効果も奏されるようになっている。
【００４２】
すなわち、本実施態様のライフル銃では、既に述べたように、銃床３０も前後方向にスライド可能な構造となっているため、ライフル銃本体の前側部分（機関部２０よりも前側に位置する部分）を先台４０で前後方向に案内するだけでなく、ライフル銃本体の後側部分（機関部２０よりも後側に位置する部分）も床３０で前後方向に案内することが可能となっている。このように、ライフル銃本体を前後２箇所で前後方向に案内することによって、弾丸発射直後の銃身の向きをより安定しやすくしている。
【００４３】
先台４０は、それにおける、少なくとも前側の手に接触する部分（前側の手で支えられる部分）がライフル銃本体（銃身１０等）に対して前後方向にスライド可能な構造となるのであれば、その具体的な構造は、特に限定されない。本実施態様のライフル銃では、先台４０を、銃身１０に対して相対的に動かない先台不動部４１と、先台不動部４１に対して相対的に前後方向にスライド可能な先台スライド部４２とで構成している。先台スライド部４２は、図２に示すように、前後方向に垂直な断面が略円弧状（「Ｃ」字状）を為すハーフパイプ状を為しており、先台不動部４１の下側外周部を覆うように取り付けている。
【００４４】
本実施態様のライフル銃において、先台不動部４１は、図２に示すように、銃身１０の後端区間における外周部を囲う筒状に形成されたものとなっている。この先台不動部４１は、上記の銃床３０とは別体で構成されており、その後端部を機関部２０の前端部に対して固定されたものとなっているが、上述したように、銃床３０を機関部２０よりも前側に延在させて「前床」と呼ばれる部分を設ける場合には、この前床部分を先台不動部４１として機能させることもできる。
【００４５】
先台不動部４１の外周面には、図２に示すように、案内凹部４１ａが設けられており、先台スライド部４２の内周面には、案内凹部４１ａに嵌合する案内凸部４２ａが設けられている。案内凹部４１ａは、前後方向に延在して設けられており、案内凸部４２ａを前後方向に沿って案内することができるようになっている。案内凹部４１ａ及び案内凸部４２ａは、１組のみ設けてもよいが、本実施態様のライフル銃では、左右一対に計２組の案内凹部４１ａ及び案内凸部４２ａを設けている。これにより、先台スライド部４２をより安定して前後方向に案内することができるようになっている。
【００４６】
先台不動部４１に対する先台スライド部４２のスライド可能幅（以下、「先台スライド部４２のスライド幅」と呼ぶことがある。）は、特に限定されない。しかし、先台スライド部４２のスライド幅を狭くしすぎると、発射された弾丸が銃身１０内を通過しているときに、先台スライド部４２が先台不動部４１に拘束される（先台スライド部４２が前方の限界位置に達して先台不動部４１に対してスライドできなくなる）虞がある。このため、先台スライド部４２のスライド幅は、１０ｍｍ以上とすることが好ましい。先台スライド部４２のスライド幅は、１５ｍｍ以上確保することがより好ましく、２０ｍｍ以上確保することがさらに好ましい。
【００４７】
先台スライド部４２のスライド幅の上限は、特に限定されないが、先台スライド部４２のスライド幅を広く確保してもあまり意味はない。このため、先台スライド部４２のスライド幅は、通常、１００ｍｍ以下とされる。先台スライド部４２のスライド幅は、７０ｍｍ以下とすることが好ましく、５０ｍｍ以下とすることがより好ましい。先台スライド部４２のスライド幅は、案内凹部４１ａの前後方向の長さと、案内凸部４２ａの前後方向の長さとの兼ね合いによって定まる。本実施態様のライフル銃では、案内凹部４１ａの前後幅Ｗ１（図１）と案内凸部４２ａの前後幅Ｗ２（図１）との差Ｗ１−Ｗ２が、先台スライド部４２のスライド幅に一致するようになっている。
【００４８】
案内凸部４２ａは、１箇所に局所的に設けられたものであってもよいが、この場合には、先台不動部４１に対して先台スライド部４２がスライドする際における先台スライド部４２の安定性が低下する虞がある。このため、案内凸部４２ａは、前後方向に延在する形態（凸条状）に設けるか、前後方向に所定間隔を隔てて複数箇所に設けることが好ましい。案内凸部４２ａの前後幅Ｗ２（複数の案内凸部４２が前後方向に所定間隔を隔てて設けられる場合には、一番前側に位置する案内凸部４２の前端面から一番後側に位置する案内凸部４２の後端面までの距離。以下同じ。）は、１０ｍｍ以上とすることが好ましい。案内凸部４２ａの前後幅Ｗ２は、１５ｍｍ以上とすることがより好ましく、２０ｍｍ以上とすることがさらに好ましい。
【００４９】
一方、案内凸部４２ａの前後幅Ｗ２の上限は、特に限定されない。しかし、案内凸部４２ａの前後幅Ｗ２を大きくしすぎてもあまり意味がないばかりか、この前後幅Ｗ２を大きくすると、必然的に、案内凹部４１ａの前後幅Ｗ１も大きくする必要が生じ、先台不動部４１の前後長を長く確保する必要が生じる。このため、案内凸部４２ａの前後幅Ｗ２は、通常、３００ｍｍ以下とされる。案内凸部４２ａの前後幅Ｗ２は、２５０ｍｍ以下とすることがより好ましく、２００ｍｍ以下とすることがさらに好ましい。
【００５０】
案内凸部４１ａの高さや案内凸部４２ａの深さは、特に限定されないが、図２に示すように、先台不動部４１の外周面と先台スライド部４２の内周面との間に隙間αが形成され、先台不動部４１と先台スライド部４２とが、案内凹部４１ａ及び案内凸部４２ａが設けられた部分以外では互いに接触しないようにすると好ましい。これにより、先台不動部４１と先台スライド部４２との接触面積を減らして、先台不動部４１と先台スライド部４２との間に生じる摩擦を小さく抑え、先台スライド部４２が先台不動部４１に対して滑らかに動くようにすることが可能になる。したがって、弾丸発射時の反動による衝撃が前側の手にさらに伝わりにくくすることが可能になる。
【００５１】
この点、本実施態様のライフル銃では、図２に示すように、案内凸部４２ａの先端側（案内凹部４１ａの内底面を向く側）に、ボール体４２ｂを保持させている。このボール体４２ｂは、前後方向（ｙ軸方向）に所定間隔を隔てた状態で複数個が列状に配されている。それぞれのボール体４２ｂは、案内凸部４２ａの先端部に設けられた窪み４２ｃ内に転がることが可能な状態で保持されている。このため、先台不動部４１に対して先台スライド部４２がスライドする際には、各ボール体４２ｂが回転することで、先台スライド部４２がさらに滑らかに移動するようになっている。
【００５２】
以上では、先台不動部４１に案内凹部４１ａを設けて、先台スライド部４２に案内凸部４２ａを設けた例について説明したが、案内凹部４１ａと案内凸部４２ａの凹凸関係は、逆にすることもできる。すなわち、先台不動部４１側に案内凸部を設けて、先台スライド部４２側に案内凹部を設けても、先台４０に上記の動作をさせることが可能である。また、図３に示すように、ボール体４２ｂが案内凸部４２ａとして機能するようにすることもできる。図３は、本発明のライフル銃における他の実施態様を図１におけるＹ１−Ｙ１面で切断した状態を示した断面図である。
【００５３】
ところで、本実施態様のライフル銃では、先台スライド部４２が前側の限界位置（先台スライド部４２を先台不動部４１に対してそれ以上前方にスライドさせることができない位置）付近にある状態で射撃を行うと、先台スライド部４２が、弾丸発射直後から先台不動部４１に拘束された状態となり、所望の衝撃吸収効果や銃身安定効果が奏されなくなる虞がある。この点、先台スライド部４２がそのスライド可能範囲におけるどの位置にあるかを射手が把握しにくいと、先台スライド部４２が前側の限界位置付近にあるにもかかわらず、射手がそのことに気づくことなく、射撃を行ってしまう虞がある。
【００５４】
このため、本実施態様のライフル銃では、図１に示すように、先台スライド部４２が前側の限界位置にあるときに先台スライド部４２の前端に重なる前側限界位置用目印４１ｂと、先台スライド部４２が後側の限界位置にあるときに先台スライド部４２の後端に重なる後側限界位置用目印４１ｃとを、先台不動部４１の外周面に設けている。これにより、射手は、先台スライド部４２がそのスライド可能範囲におけるどの位置にあるかを容易に把握し、所望の効果が奏される状態で正しく射撃を行うことが可能になる。
【００５５】
また、本実施態様のライフル銃は、その先台スライド部４２を前側の手で支えた状態に構えるものとなっているところ、前側の手が先台スライド部４２から外れて先台不動部４１に当たってしまっている状態で射撃を行った場合には、弾丸発射時の反動による衝撃が前側の手に伝わるようになる。
【００５６】
このため、本実施態様のライフル銃では、図１に示すように、先台スライド部４２の前端部から下向きに突出するようにハンドストップ４２ｄを設けている。このハンドストップ４２ｄは、先台スライド部４２を支える前側の手を受け止めるためのものとなっている。前側の手の人差指における前面（人差指における親指に近い側の側面）がこのハンドストップ４２ｄの後面に接触する状態でライフル銃を構えると、先台スライド部４２における正しい位置を前側の手で支えることが可能になる。また、先台スライド部４２を正しい位置で支える前側の手が先台スライド部４２から外れないようにすることも可能になる。
【００５７】
［ライフル銃の射撃方法及び作用］
以上で述べた本実施態様のライフル銃は、前側の手で先台スライド部４２を下側から支えて、後側の手の付根（肩）を銃床３０の肩当て部３２ａに当てた状態で構えるものとなっている。このとき、上記の目印４１ｂ，４１ｃと先台スライド部４２との位置関係を確認すること等により、先台スライド部４２が前側の限界位置付近にないこと（先台スライド部４２が先台不動部４１に対して現在位置よりも２０ｍｍ程度は前側に移動できる状態になっていること）を確認する。この後は、通常のライフル銃と同様の手順で引金２１を引き、弾丸を発射する。発射された直後の弾丸は、銃身１０の銃腔１１内を前方（ｙ軸方向正側）に進む。このとき、銃身１０を含むライフル銃本体は、弾丸発射時の反動で後側（ｙ軸方向負側）に移動しようとする。
【００５８】
しかし、銃床３０における銃床スライド部３２は、上記のように、ライフル銃本体側の銃床不動部３１に対して前後方向にスライド可能な構造となっている。このため、ライフル銃本体が後側に移動しても、銃床スライド部３２は、射手の肩に支えられて元の位置から大きく動くことなく、主に、銃床不動部３１が後側に移動（銃床不動部３１に対して銃床スライド部３２が相対的に前側に移動）するようになる。銃床スライド部３２から射手の肩に加わる衝撃は、銃床不動部３１と銃床スライド部３２との間に介在された銃床付勢部材５０によって和らげられ、銃床スライド部３２を当てた肩には大きな衝撃が伝わらないようになっている。したがって、銃床スライド部３２に当てた肩の位置が安定するようになっている。
【００５９】
加えて、先台４０における先台スライド部４２は、上記のように、ライフル銃本体側の先台不動部４１に対して前後方向にスライド可能な構造となっている。このため、ライフル銃本体が後側に移動しても、先台スライド部４２は、前側の手で支えられて元の位置から大きく動くことなく、主に、先台不動部４１が後側に移動（先台不動部４１に対して先台スライド部４２が相対的に前側に移動）するようになる。したがって、先台スライド部４２を支える前側の手には、大きな衝撃が伝わらず、前側の手の位置やその肘の位置が安定するようになっている。
【００６０】
このように、本実施態様のライフル銃は、それによる弾丸発射時の反動で、銃身１０を含むライフル銃本体が、銃床スライド部３２及び先台スライド部４２に対して後側に移動する（ライフル銃に対して、銃床スライド部３２及び先台スライド部４２が相対的に前側に移動する）ようにすることで、射手の肩や前側の手に加わる衝撃を小さく抑え、肩や前側の手の位置を安定させることができるようになっている。また、弾丸発射時の反動でライフル銃本体が後側に移動する際には、ガイド穴３１ａ及びガイドロッド３２ｂが設けられた箇所と、案内凹部４１ａ及び案内凸部４２ａが設けられた箇所との前後計２箇所によって、ライフル銃本体が前後方向に案内されるようになっている。このため、弾丸発射直後の銃身１０の向きのブレをより小さく抑えることができ、ライフル銃の命中精度を高めることが可能となっている。
【符号の説明】
【００６１】
１０    銃身（バレル）
１１    銃腔（ボア）
２０    機関部（レシーバー）
２１    引金（トリガー）
２２    用心金（トリガーガード）
２３    銃把（グリップ）
３０    銃床（ストック）
３１    銃床不動部
３１ａ  ガイド穴
３２    銃床スライド部
３２ａ  肩当て部
３２ｂ  ガイドロッド
４０    先台
４１    先台不動部
４１ａ  案内凹部
４１ｂ  前側限界位置用目印（目印）
４１ｃ  後側限界位置用目印（目印）
４２    先台スライド部
４２ａ  案内凸部
４２ｂ  ボール体
４２ｃ  窪み
４２ｄ  ハンドストップ
５０    銃床付勢部材
Ｌ１  銃身の中心線
Ｗ１  案内凹部の前後幅
Ｗ２  案内凸部の前後幅
α    先台不動部の外周面と先台スライド部の内周面との間の隙間
【図１】
2019020000.tif 000003
【図２】
2019020000.tif 000004
【図３】
2019020000.tif 000005